(57)【要約】【課題】  簡単に連続予約する。【解決手段】  データ記録再生装置１００は、予約画像を表わす情報をテレビ１５０に出力するＯＳＤ画像生成回路１１４と、予約画像に示された情報のいずれかに対応する、番組を特定する情報およびハードディスク１４４に上書きして記録するか否かを表わす情報を受付け、ハードディスク１４４に上書きして記録することを表わす情報が受付けられると、予約画像に、番組を特定する情報のうち、周期的に放送される番組のみを特定する情報が表示されるように、ＯＳＤ画像生成回路１１４を制御するシステム制御回路１１０と、システム制御回路１１０が受付けた情報、およびシステム制御回路１１０が受付けた情報により特定される番組の映像音声データを、ハードディスク１４４に記録するハードディスク装置１４０とを含む。【選択図】        図１
2005136797.tif 000002
【特許請求の範囲】
【請求項１】
予約画像を表わす情報を表示装置に出力するための出力手段と、
前記予約画像に示された情報のいずれかに対応する、番組を特定する情報および同一の記録媒体に上書きして録画するか否かを表わす情報を受付けるための受付手段と、
前記受付手段によって、同一の記録媒体に上書きして録画することを表わす情報が受付けられると、予約画像に、前記番組を特定する情報のうち、複数の曜日によって特定される周期を表わす、複数の情報が表示されるように、前記出力手段を制御するための制御手段と、
前記受付手段が受付けた情報を記録するための手段と、
前記受付手段が受付けた情報により特定される、連続する番組の映像を、記録媒体に録画するための手段とを含む、ハードディスクビデオレコーダ。
【請求項２】
予約画像を表わす情報を表示装置に出力するための出力手段と、
前記予約画像に示された情報のいずれかに対応する、番組を特定する情報および同一の記録媒体に上書きして記録するか否かを表わす情報を受付けるための受付手段と、
前記受付手段によって、同一の記録媒体に上書きして記録することを表わす情報が受付けられると、予約画像に、前記番組を特定する情報のうち、周期的に放送される番組のみを特定する情報が表示されるように、前記出力手段を制御するための制御手段と、
前記受付手段が受付けた情報を記録するための第１の記録手段と、
前記受付手段が受付けた情報により特定される番組の映像および音声のいずれかを表わす情報を、記録媒体に記録するための第２の記録手段とを含む、データ記録再生装置。
【請求項３】
前記周期的に放送される番組のみを特定する情報は、放送の周期を表わす情報である、請求項２に記載のデータ記録再生装置。
【請求項４】
前記放送の周期を表わす情報は、複数の情報である、請求項３に記載のデータ記録再生装置。
【請求項５】
前記放送の周期を表わす情報は、月、週、曜日、および時刻のいずれかによって特定される周期を表わす情報である、請求項３に記載のデータ記録再生装置。
【請求項６】
前記放送の周期を表わす情報は、複数の曜日によって特定される周期を表わす情報である、請求項３に記載のデータ記録再生装置。
【請求項７】
予約画像を表わす情報を表示装置に出力する出力ステップと、
前記予約画像に示された情報のいずれかに対応する、番組を特定する情報および同一の記録媒体に上書きして記録するか否かを表わす情報を受付ける受付ステップと、
前記受付ステップにおいて、同一の記録媒体に上書きして記録することを表わす情報が受付けられると、予約画像に、前記番組を特定する情報のうち、周期的に放送される番組のみを特定する情報が表示されるように、前記出力ステップを制御する制御ステップと、
前記受付ステップにおいて受付けた情報を記録する第１の記録ステップと、
前記受付ステップにおいて受付けた情報により特定される番組の映像および音声のいずれかを表わす情報を、記録媒体に記録する第２の記録ステップとを含む、データ記録再生方法。
【発明の詳細な説明】
【技術分野】
【０００１】
本発明はデータ記録再生装置、データ記録再生方法、およびハードディスクビデオレコーダに関し、特に連続予約が可能なデータ記録再生装置、データ記録再生方法、およびハードディスクビデオレコーダに関する。
【背景技術】
【０００２】
ビデオデッキ、ＤＶＤ、ハードディスクビデオレコーダなどの録画装置において、より複雑な予約をより簡単に受付けるための工夫が進められている。
【０００３】
具体的には、特許文献１には、参照する番組情報が到着する前に、毎日予約モードあるいは毎週予約モードなどによって、外部入力から指定される予約時間帯に応じた予約を設定し、参照する番組情報が到着したとき、番組情報から、設定した予約時間帯で放送予定の番組を特定する放送受信装置が開示されている。また、特許文献２には、電子番組表で選択した番組に対して、毎週、毎日、月から金曜などの曜日を対象として録画予約を繰り返し実行させる場合に、その番組の開始時刻などが変更されると自動的に動作時間を変更する番組予約記録装置が開示されている。
【０００４】
しかしながら、特許文献１に開示されたように、参照する番組情報が到着する前に、毎日予約モードあるいは毎週予約モードなどによって、外部入力から指定される予約時間帯に応じた予約を設定する場合、その予約が煩雑になる恐れがあるという問題がある。たとえば、録画しようとする番組が一定周期で放送される番組（たとえば連続ドラマ）の場合、ユーザは連続予約をすることにより、効率的に必要な番組の録画を予約できる。しかし、一般的なデータ記録再生装置（たとえばビデオデッキ）は、ユーザが連続予約をしようとしているのか単発の番組を予約しようとしているのか、予約が確定するまで知ることができない。これにより、そのようなビデオデッキなどは、「毎週月曜日」などといった選択肢を、「月曜日」（この場合、予約直後に到来する月曜日を指す。）などといった選択肢の一種として扱う必要がある。「毎週月曜日」などといった選択肢が、「月曜日」などといった選択肢の一種として扱われると、「毎週月曜日」などといった選択肢は、選択されることがあり得ない多くの選択肢（たとえば「月曜日」）とともにユーザの選択を待つことになる。そのようなビデオデッキなどの録画予約はきわめて煩雑である。
【０００５】
特許文献２に開示されたように、電子番組表で選択した番組に対して、毎週、毎日、月から金曜などの曜日を対象として録画予約を繰り返し実行させる場合に、その番組の開始時刻などが変更されると自動的に動作時間を変更する場合にも同様の問題がある。
【特許文献１】特開２０００−３４１１５６号公報
【特許文献２】特開２００３−４６９２１号公報
【発明の開示】
【発明が解決しようとする課題】
【０００６】
本発明は上述の問題点を解決するためになされたものであって、その目的は、ユーザの予約設定で発生する操作を軽減できる、すなわち簡単に連続予約ができるデータ記録再生装置、データ記録再生方法、およびハードディスクビデオレコーダを提供することにある。
【課題を解決するための手段】
【０００７】
上記目的を達成するために、本発明のある局面にしたがうと、ハードディスクビデオレコーダは、予約画像を表わす情報を表示装置に出力するための出力手段と、予約画像に示された情報のいずれかに対応する、番組を特定する情報および同一の記録媒体に上書きして録画するか否かを表わす情報を受付けるための受付手段と、受付手段によって、同一の記録媒体に上書きして録画することを表わす情報が受付けられると、予約画像に、番組を特定する情報のうち、複数の曜日によって特定される周期を表わす、複数の情報が表示されるように、出力手段を制御するための制御手段と、受付手段が受付けた情報を記録するための手段と、受付手段が受付けた情報により特定される、連続する番組の映像を、記録媒体に録画するための手段とを含む。
【０００８】
すなわち、出力手段は、予約画像を表わす情報を表示装置に出力する。受付手段は、予約画像に示された情報のいずれかに対応する、番組を特定する情報および同一の記録媒体に上書きして録画するか否かを表わす情報を受付ける。制御手段は、受付手段によって、同一の記録媒体に上書きして録画することを表わす情報が受付けられると、予約画像に、番組を特定する情報のうち、複数の曜日によって特定される周期を表わす、複数の情報が表示されるように、出力手段を制御する。情報を記録するための手段は、受付手段が受付けた情報を記録する。記録媒体に録画するための手段は、受付手段が受付けた情報により特定される、連続する番組の映像を、記録媒体に録画する。これにより、受付手段が受付ける情報は、複数の曜日によって特定される周期を表わす、複数の情報になる。受付手段が受付ける情報がそのような情報になると、連続予約はきわめて簡単になる。その結果、きわめて簡単に連続予約ができるハードディスクビデオレコーダを提供することができる。
【０００９】
本発明の他の局面にしたがうと、データ記録再生装置は、予約画像を表わす情報を表示装置に出力するための出力手段と、予約画像に示された情報のいずれかに対応する、番組を特定する情報および同一の記録媒体に上書きして記録するか否かを表わす情報を受付けるための受付手段と、受付手段によって、同一の記録媒体に上書きして記録することを表わす情報が受付けられると、予約画像に、番組を特定する情報のうち、周期的に放送される番組のみを特定する情報が表示されるように、出力手段を制御するための制御手段と、受付手段が受付けた情報を記録するための第１の記録手段と、受付手段が受付けた情報により特定される番組の映像および音声のいずれかを表わす情報を、記録媒体に記録するための第２の記録手段とを含む。
【００１０】
すなわち、出力手段は、予約画像を表わす情報を表示装置に出力する。受付手段は、予約画像に示された情報のいずれかに対応する、番組を特定する情報および同一の記録媒体に上書きして記録するか否かを表わす情報を受付ける。制御手段は、受付手段によって、同一の記録媒体に上書きして記録することを表わす情報が受付けられると、予約画像に、番組を特定する情報のうち、周期的に放送される番組のみを特定する情報が表示されるように、出力手段を制御する。第１の記録手段は、受付手段が受付けた情報を記録する。第２の記録手段は、受付手段が受付けた情報により特定される番組の映像および音声のいずれかを表わす情報を、記録媒体に記録する。これにより、受付手段が受付ける情報は、周期的に放送される番組のみを特定する情報になる。受付手段が受付ける情報がそのような情報になると、連続予約は簡単になる。その結果、簡単に連続予約ができるデータ記録再生装置を提供することができる。
【００１１】
また、上述の周期的に放送される番組のみを特定する情報は、放送の周期を表わす情報であることが望ましい。
【００１２】
すなわち、周期的に放送される番組のみを特定する情報は、放送の周期を表わす情報である。これにより、周期的に放送される番組のみを特定する情報は明確になる。その結果、明確かつ簡単に連続予約ができるデータ記録再生装置を提供することができる。
【００１３】
もしくは、上述の放送の周期を表わす情報は、複数の情報であることが望ましい。
【００１４】
すなわち、放送の周期を表わす情報は、複数の情報である。これにより、表示装置に、放送の周期を表わす複数の情報が表示される。放送の周期を表わす複数の情報が表示されると、受付手段は効率よく情報を受付けることができる。その結果、効率よく、明確かつ簡単に連続予約ができるデータ記録再生装置を提供することができる。
【００１５】
もしくは、上述の放送の周期を表わす情報は、月、週、曜日、および時刻のいずれかによって特定される周期を表わす情報であることが望ましい。
【００１６】
すなわち、放送の周期を表わす情報は、月、週、曜日、および時刻のいずれかによって特定される周期を表わす情報である。月、週、曜日、および時刻は、放送の周期を的確に特定する。これにより、受付手段は的確な情報を受付けることができる。その結果、明確かつ簡単に的確な連続予約ができるデータ記録再生装置を提供することができる。
【００１７】
もしくは、上述の放送の周期を表わす情報は、複数の曜日によって特定される周期を表わす情報であることが望ましい。
【００１８】
すなわち、放送の周期を表わす情報は、複数の曜日によって特定される周期を表わす情報である。複数の曜日によって特定される周期は、単一の曜日によって特定される周期に比べ多彩である。これにより、多彩な番組が特定される。その結果、明確かつ簡単に多彩な番組を連続予約ができるデータ記録再生装置を提供することができる。
【００１９】
本発明の他の局面にしたがうと、データ記録再生方法は、予約画像を表わす情報を表示装置に出力する出力ステップと、予約画像に示された情報のいずれかに対応する、番組を特定する情報および同一の記録媒体に上書きして記録するか否かを表わす情報を受付ける受付ステップと、受付ステップにおいて、同一の記録媒体に上書きして記録することを表わす情報が受付けられると、予約画像に、番組を特定する情報のうち、周期的に放送される番組のみを特定する情報が表示されるように、出力ステップを制御する制御ステップと、受付ステップにおいて受付けた情報を記録する第１の記録ステップと、受付ステップにおいて受付けた情報により特定される番組の映像および音声のいずれかを表わす情報を、記録媒体に記録する第２の記録ステップとを含む。
【００２０】
すなわち、簡単に連続予約ができるデータ記録再生方法を提供することができる。
【発明の効果】
【００２１】
本発明に係るデータ記録再生装置、データ記録再生方法、およびハードディスクビデオレコーダは、簡単に連続予約ができる。
【発明を実施するための最良の形態】
【００２２】
以下、図面を参照しつつ、本発明の実施の形態について説明する。以下の説明では、同一の部品には同一の符号を付してある。それらの名称および機能も同一である。したがって、それらについての詳細な説明は繰返さない。
【００２３】
図１を参照して、本発明の実施の形態に係るデータ記録再生装置１００について説明する。図１は、データ記録再生装置１００の構成を表わすブロック図である。
【００２４】
このデータ記録再生装置１００は、システム制御回路１１０と、ＯＳＤ（On  Screen  Display）画像生成回路１１４と、操作部１２２と、受光部１２４と、計時回路１２６と、表示部１２８と、チューナ１３０と、ＭＰＥＧ（Moving Picture Experts Group）エンコーダ１３２と、ハードディスク装置１４０と、ＭＰＥＧデコーダ１３６と、出力部１３８とを含む。システム制御回路１１０はメモリ１１２を含む。ハードディスク装置１４０は、ハードディスク１４４と情報記録ヘッド１４２とを含む。
【００２５】
データ記録再生装置１００は、たとえばハードディスクビデオレコーダであるが、これに限られない。たとえばハードディスクを備えるコンピュータでもよい。この場合、各部の動作は、システム制御回路１１０からの信号の代わりに、ＣＰＵ（Central Processing Unit）からの指令に基づいて制御される。
【００２６】
データ記録再生装置１００は、テレビ１５０に接続される。なお、テレビ１５０に代えて、表示専用モニタなどがデータ記録再生装置１００に接続され、表示装置として使用されてもよい。
【００２７】
システム制御回路１１０は、後述するように信号の入出力を実施しながら、データ記録再生装置１００の動作を制御する。この動作には、受信された映像音声データの記録、記録されたデータの読出しなどが含まれる。本実施の形態において、この制御は、メモリ１１２に予め記録されたプログラムに基づいて実施される。このプログラムは、予め製造されたシステム制御回路１１０に、別途作成されたプログラムを複写することで記録される。
【００２８】
システム制御回路１１０は、利用者の指示を検出すると、所定の画像を表示させるための信号を生成する。この画像には、録画開始時刻あるいは終了時刻を設定する画像などが含まれる。
【００２９】
ＯＳＤ画像生成回路１１４は、システム制御回路１１０が出力した信号に基づいて、メッセージ画像を表示するための信号を生成する。このメッセージ画像とは、チャネル表示、予約画像、音量表示その他の画像であって、ハードディスク装置１４０に記録されている画像とは異なる画像である。ＯＳＤ画像生成回路１１４は、このようなメッセージ画像の信号を生成すると、その信号を出力部１３８に出力する。この信号が出力されると、その信号が表わすメッセージ画像がテレビ１５０に表示される。
【００３０】
操作部１２２は、利用者の指示を受付ける。本実施の形態における操作部１２２は、データ記録再生装置１００の前面のパネルに設けられた入力ボタンであるが、これに限られない。指示が受付けられると、その指示に対応する処理を実行させる信号が生成される。この信号は、システム制御回路１１０に出力される。
【００３１】
受光部１２４は、後述するリモコン端末２００から発せられたリモコン信号を受信する。この信号は、システム制御回路１１０に出力される。
【００３２】
計時回路１２６は、データ記録再生装置１００における時間を計測する。計時回路１２６は、外部から供給される電源に基づいて作動するが、一時的な停電があっても、予め設定された時間は作動し続けることができる。計時回路１２６は、時刻データをシステム制御回路１１０に出力する。また、システム制御回路１１０からの制御信号がこの回路に入力される。計時回路１２６の時刻は、この信号に基づいて補正される。
【００３３】
表示部１２８は、データ記録再生装置１００に関する情報を表示する。この情報には、時間、受信チャネル、カウンタ、録画／再生モードその他の項目が含まれる。本実施の形態における表示部１２８は、データ記録再生装置１００の前面に形成されたインジケータである。ただし、表示部１２８はその他の装置であってもよい。
【００３４】
チューナ１３０には、アンテナ１９０が接続される。チューナ１３０は、アナログ放送、デジタル放送などにより放送される映像音声データを受信することができるチューナであればよい。チューナ１３０により受信された電波は、ＭＰＥＧエンコーダ１３２に出力される。また、チューナ１３０は、システム制御回路１１０からの信号に基づいて受信チャネルを切り換えることができる。
【００３５】
ＭＰＥＧエンコーダ１３２は、チューナ１３０から入力された信号をデジタル信号（ＭＰＥＧ符号）に変換して、システム制御回路１１０に出力する。
【００３６】
ハードディスク装置１４０は、システム制御回路１１０からの信号に基づいて、ＭＰＥＧ符号化されたデータを情報記録ヘッド１４２によりハードディスク１４４に書き込んだり、ハードディスク１４４に記録されたデータを読出したりする。ハードディスク１４４は、後述するフラグの値を記録する装置でもある。図２を参照して、本実施の形態に係るハードディスク１４４のフォーマットを説明する。ハードディスク１４４のフォーマットは、システム領域１６２と、タイムシフト領域１６４と、録画領域１６６とを含む。システム領域１６２は、データ記録再生装置１００の制御に必要な情報を記録する。フラグの値はこの領域に記録される。タイムシフト領域１６４は、ＭＰＥＧ符号化されたデータのうち、一時的なデータを記録する。録画領域１６６は、ＭＰＥＧ符号化されたデータのうち、長期にわたり保存しようとするデータを記録する。
【００３７】
ＭＰＥＧデコーダ１３６は、ハードディスク装置１４０から読出された、ＭＰＥＧ符号化されたデータを復号化して出力部１３８に出力する。
【００３８】
出力部１３８は、ＯＳＤ画像生成回路１１４からの信号およびＭＰＥＧデコーダ１３６からの信号をテレビ１５０に出力する。これにより、テレビ１５０には、ＯＳＤ画像生成回路１１４により生成された画像メッセージと、ハードディスク装置１４０から読出された映像とが表示される。
【００３９】
図３を参照して、本実施の形態に係るデータ記録再生装置１００にリモコン信号を送信するためのリモコン端末２００について説明する。図３は、リモコン端末２００の外形図である。
【００４０】
このリモコン端末２００は、モニタ２１０と、カーソルボタン２２０と、テンキー２３０とを含む。モニタ２１０は、利用者が入力した指示を表示する。カーソルボタン２２０は、テレビ１５０その他の表示装置に示される、入力を促すカーソルの位置を変更するためのボタンである。テンキー２３０は、所定の指示を入力するための、あるいは利用者が視聴を希望するチャネルを選択するためのボタンである。
【００４１】
なお、リモコン端末２００は、図３に示したものに限られず、表示の切り換え、録画の予約その他の指示に関するリモコン信号を送信することができる端末であればよい。
【００４２】
利用者がリモコン端末２００をデータ記録再生装置１００に向けて、特定のボタンを押下すると、その押下に応答してリモコン信号が送信部（図示しない）から送信される。この信号がデータ記録再生装置１００の受光部１２４に受光されると、データ記録再生装置１００はその信号に対応する処理を実行する。たとえば、利用者が録画設定ボタン（図示しない）を押下すると、データ記録再生装置１００は、テレビ１５０の表示画面を録画設定画面に切替える。あるいは、その画面において、カーソルを左右に移動させるためのカーソルボタン２２０を押下すると、データ記録再生装置１００は、録画開始時刻あるいは録画終了時刻の設定の変更を可能にする。
【００４３】
図４を参照して、データ記録再生装置１００で実行されるプログラムは、予約の受付に関し、以下のような制御構造を有する。
【００４４】
ステップ１００（以下、ステップをＳと略す。）にて、ＯＳＤ画像生成回路１１４は、テレビ１５０の画面に予約画像を表示させる。具体的には、ＯＳＤ画像生成回路１１４は、システム制御回路１１０が出力した信号に基づき、予約画像を表示するための信号を生成する。システム制御回路１１０が出力した信号は、操作部１２２あるいは受光部１２４を介して取得した利用者の指示に応じてシステム制御回路１１０が生成した信号である。予約画像を表示するための信号が生成されると、その信号は上述したようにテレビ１５０に出力される。これにより、テレビ１５０の画面に予約画像が表示される。
【００４５】
Ｓ１０２にて、システム制御回路１１０は、リモコン端末２００からの信号を受付ける。具体的には、まず、受光部１２４が、リモコン端末２００から発せられたリモコン信号を受信する。リモコン信号が受信されると、受光部１２４は、受信した信号をシステム制御回路１１０に出力する。これにより、システム制御回路１１０は、リモコン端末２００からの信号を受付ける。リモコン端末２００からの信号を受付けると、システム制御回路１１０は、受付けた信号がどの項目についての信号かを解釈する。続いて、システム制御回路１１０は、受付けた信号がどのような情報を表わすかも解釈する。これらの解釈は、いずれもハードディスク１４４に記録された項目フラグ、および項目フラグの値に対応するデータやフラグの値を参照することにより行なわれる。一例として、更新欄についての信号を受付けた場合のシステム制御回路１１０の動作を説明する。システム制御回路１１０は、次の２つの条件がすべて満たされると、ハードディスク１４４に記録された、更新フラグの値を更新する。第１の条件とは、予約画面上のカーソルが更新欄にあることである。これは、ハードディスク１４４に記録された、項目フラグの値により識別される。項目フラグの値は、システム制御回路１１０により増減させられる。システム制御回路１１０は、ユーザがリモコン端末２００のカーソルボタン２２０のうち、カーソルを左右方向に移動させる旨のキーを押した旨を受付けると、項目フラグの値を増減させる。項目フラグの値とカーソルが更新欄にあることを表わす値とが一致すると、システム制御回路１１０はカーソルが更新欄にあると判断する。第２の条件とは、カーソルボタン２２０のうち、カーソルを上下方向に移動させる旨のキーが押されたことである。本実施の形態の場合、更新フラグの値は、リモコン端末２００のカーソルボタン２２０のうち、下方向のキーが押されるたびに「０」、「１」、「２」の順で循環するように更新される。また、更新フラグの値は、カーソルボタン２２０のうち、上方向のキーが押されるたびに「２」、「１」、「０」の順で循環するように更新される。これにより、システム制御回路１１０が受付けた情報が、ハードディスク１４４に記録される。また、上述した解釈が完了することにより、システム制御回路１１０は、予約画像に示された情報（本実施の形態の場合、各項目の内容を表わす情報）のいずれかに対応する、番組を特定する情報、および同一の記録媒体に上書きして録画するか否かを表わす情報を受付ける。
【００４６】
Ｓ１０４にて、ＯＳＤ画像生成回路１１４は、テレビ１５０に表示させる画像を、Ｓ１０２においてリモコン端末２００から受信した信号に応じた画像に変更させる。具体的には、まず、システム制御回路１１０がリモコン端末２００から受信した信号に応じた信号をＯＳＤ画像生成回路１１４に出力する。たとえば、リモコン端末２００から受信した信号が更新欄についての信号であった場合、システム制御回路１１０は、更新の表示を「ＯＮ（１）」または「ＯＮ（２）」にする旨の信号をＯＳＤ画像生成回路１１４に出力する。「ＯＮ（１）」にする旨の信号を出力するか、「ＯＮ（２）」にする旨の信号を出力するかは、更新フラグの値を参照して決定する。本実施の形態の場合、更新フラグの値が「１」ならば、更新の表示は「ＯＮ（１）」である。更新フラグの値が「２」ならば、更新の表示は「ＯＮ（２）」である。そして更新フラグの値が「０」ならば、更新の表示は「ＯＦＦ」である。信号が出力されると、ＯＳＤ画像生成回路１１４は、その信号に対応する、画像を表す信号を出力部１３８に出力する。これにより、テレビ１５０の画像が変更される。なお、本実施の形態における「更新」とは、録画の予約において、予約された日付が連続しているとき（たとえば、毎日同じ時間の録画を予約している場合や、毎月曜日の同じ時間の録画を予約している場合がこれにあたる）、記録しようとする画像を、既に記録された画像に上書きすることをいう。更新の表示が「ＯＦＦ」の場合、記録しようとする画像は、新たな領域に記録される。更新の表示が「ＯＮ（１）」、および「ＯＮ（２）」である場合それぞれの、データ記録再生装置１００の動作は後述する。また、以下の説明において、更新フラグが「ＯＮ」であるということは、更新フラグの値が「１」または「２」であることを表わす。
【００４７】
Ｓ１０６にて、システム制御回路１１０は、ユーザが更新の設定を「ＯＮ」にしたか否かを判断する。具体的には、システム制御回路１１０は、更新欄にカーソルがあり、かつ更新フラグの値が「０」であるか否かを判断する。更新の設定を「ＯＮ」にしたと判断した場合（Ｓ１０６にてＹＥＳ）、処理はＳ１１２へと移される。もしそうでないと（Ｓ１０６にてＮＯ）、処理はＳ１０８へと移される。
【００４８】
Ｓ１０８にて、システム制御回路１１０は、リモコン端末２００から受信した信号に基づいて、リモコン端末２００の確定キーを「ＯＮ」にしたか否かを判断する。確定キーを「ＯＮ」にしたと判断した場合（Ｓ１０８にてＹＥＳ）、処理はＳ１１０へと移される。もしそうでないと（Ｓ１０８にてＮＯ）、処理はＳ１０２へと移される。
【００４９】
Ｓ１１０にて、ハードディスク１４４は、システム制御回路１１０の制御により、テレビ１５０に表示された予約画像の内容を記録する。具体的には、ハードディスク１４４のシステム領域１６２の予約内容を記録する領域に、予約画像の内容に対応する情報を記録する。予約画像の内容に対応する情報は、フラグの値などに基づいて特定される。あわせて、ＯＳＤ画像生成回路１１４は、テレビ１５０にメッセージ画像を表示させる。
【００５０】
Ｓ１１２にて、システム制御回路１１０は、テレビ１５０に表示された予約日付が連続予約用の日付か否かを判断する。本実施の形態の場合、システム制御回路１１０は、このことをハードディスク１４４に記録された日付フラグの値が更新の設定を表わすフラグの値に一致しているか否かに基づいて判断する。したがって、本実施の形態において、日付フラグの値が「１」の場合、予約日付の表示は更新の表示が「ＯＮ（１）」の場合に対応する表示である。日付フラグの値が「２」の場合、予約日付の表示は更新の表示が「ＯＮ（２）」の場合に対応する表示である。日付フラグの値が「０」の場合、予約日付の表示は更新の表示が「ＯＦＦ」の場合に対応する表示である。これらのうち、前の２種類の表示が連続予約用の日付を表わす表示である。連続予約用の日付と判断した場合（Ｓ１１２にてＹＥＳ）、処理はＳ１０２へと移される。もしそうでないと（Ｓ１１２にてＮＯ）、処理はＳ１１４へと移される。
【００５１】
Ｓ１１４にて、システム制御回路１１０は、テレビ１５０に表示される予約日付の表示を連続予約用の日付に変更する。具体的には、システム制御回路１１０は、信号をＯＳＤ画像生成回路１１４に出力する。その信号とは、更新フラグの値に対応する予約日付の表示を表示させる旨の信号である。ＯＳＤ画像生成回路１１４は、その信号に対応する信号を出力部１３８に出力する。あわせて、システム制御回路１１０は、日付フラグの値を更新フラグの値に合致させる。
【００５２】
以上のような構造およびフローチャートに基づく、データ記録再生装置１００の動作について説明する。
［期間を定めて予約する場合の動作］
期間を定めて予約する場合の予約の受付処理について説明する。
【００５３】
ＯＳＤ画像生成回路１１４は、テレビ１５０の画面に、操作部１２２あるいは受光部１２４を介して取得した利用者の指示に応じた予約画像を表示させる（Ｓ１００）。図５を参照して、この時テレビ１５０に表示される予約画像を説明する。予約画像は、上述したようにハードディスク装置１４０に記録された画像とは異なる画像である。予約画像は、ハードディスク装置１４０に記録された画像と共にテレビ１５０に表示される。予約画像は、日付欄、開始時刻欄、停止時刻欄、チャンネル（「ＣＨ」と表示する。）欄、モード欄、および更新欄を含む。日付欄は、受付けた放送日を表示する。開始時刻欄は、受付けた開始時刻を表示する。停止時刻欄は、受付けた停止時刻を表示する。チャンネル欄は、受付けた記録対象源すなわち記録しようとする番組のチャンネルを表示する。モード欄は、受付けたモードを表示する。ここでいう「モード」とは、記録スピードやクウォリティなどをいう。本実施の形態の場合、ユーザは標準のモード（モード欄には「標準」と表示される）および標準のモードの「３倍」の画像を記録するモード（モード欄には「３倍」と表示される）のいずれかを選択できる。更新欄は、受付けた更新の設定を表示する。上述したように、本実施の形態における「更新」とは、ハードディスク装置１４０に画像などを記録する際、既に記録された画像に上書きすることをいう。更新欄が「ＯＮ」の状態でカーソルボタン２２０の確定キーが押されると、新たな画像などを上書きするモードに設定される。更新欄が「ＯＦＦ」の状態でカーソルボタン２２０の確定キーが押されると、ハードディスク１４４の、画像が記録されていない領域や既に画像が削除された領域に、新たな画像などを上書きするモードに設定される。
【００５４】
予約画像が表示されると、システム制御回路１１０は、リモコン端末２００からの信号を受付ける（Ｓ１０２）。信号が受付けられると、ＯＳＤ画像生成回路１１４は、テレビ１５０に表示させる画像を、Ｓ１０２においてリモコン端末２００から受信した信号に応じた画像に変更させる（Ｓ１０４）。図５は、既に日付欄および開始時刻欄の表示が変更されている場合の例である。画像が変更されると、システム制御回路１１０は、ユーザが更新の設定を「ＯＮ」にしたか否かを判断する（Ｓ１０６）。当初、ユーザは更新の設定を初期設定のまま（本実施の形態の場合「ＯＦＦ」とする。）にしていたので（Ｓ１０６にてＮＯ）、システム制御回路１１０は、リモコン端末２００から受信した信号に基づいて、リモコン端末２００の確定キーを「ＯＮ」にしたか否かを判断する（Ｓ１０８）。この場合確定キーは押されていないので（Ｓ１０８にてＮＯ）、Ｓ１０２〜Ｓ１０４の処理を経て、システム制御回路１１０は、再びユーザが更新の設定を「ＯＮ」にしたか否かを判断する（Ｓ１０６）。
【００５５】
途中でユーザは更新の設定を「ＯＮ（１）」にする。これにより、システム制御回路１１０は、ユーザが更新の設定を「ＯＮ」にしたと判断するので（Ｓ１０６にてＹＥＳ）、システム制御回路１１０は、テレビ１５０に表示された予約日付が連続予約用の日付か否かを判断する（Ｓ１１２）。この場合連続予約用の日付が表示されていないので（Ｓ１１２にてＮＯ）、システム制御回路１１０は、テレビ１５０に表示される予約日付の表示を「ＯＮ（１）」に対応する連続予約用の日付に変更する。あわせて、システム制御回路１１０は、日付フラグの値を「１」に変更する（Ｓ１１４）。図６を参照して、この場合（第１の連続予約モード）のテレビ１５０の表示を説明する。更新の設定における「ＯＮ（１）」は、ユーザによって選択された期間、毎日一定の時間に放送される番組を録画することを表わす。更新の設定において「ＯＮ（１）」が選択された場合、テレビ１５０には、ユーザが選択可能な期間が表示される。本実施の形態の場合、その期間とは、日曜日から土曜日まで、月曜日から金曜日まで、月曜日から土曜日まで、およびユーザが自由に設定する１週間以内の期間（ユーザが何ら期間を設定していない場合、曜日を表わす表示の代わりにアスタリスクが表示される）である。これにより、テレビ１５０には、放送の周期を表わす情報、特に、複数の曜日によって特定される周期（この場合「１日」）を表わす、複数の情報が表示される。ユーザはカーソルボタン２２０を操作することにより、これらを自由に選択できる。ユーザによって選択された期間は反転表示される。これらの動作により、システム制御回路１１０によって、同一のハードディスク１４４に上書きして記録すること（本実施の形態の場合、録画すること）を表わす情報（この場合、更新の設定を「ＯＮ（１）」にする情報）が受付けられると、システム制御回路１１０自身が、予約画像に、番組を特定する情報のうち、周期的に放送される番組のみを特定する情報が表示されるように、ＯＳＤ画像生成回路１１４を制御する。
【００５６】
予約日付の表示が連続予約用の日付に変更されると、Ｓ１０２〜Ｓ１０６の処理を経て、システム制御回路１１０は、再びリモコン端末２００の確定キーを「ＯＮ」にしたか否かを判断する（Ｓ１０８）。すべての設定が終了するまで確定キーは「ＯＮ」にされないが（Ｓ１０８にてＮＯ）、Ｓ１０２〜Ｓ１０８の処理を繰返した後、最終的に確定キーが「ＯＮ」にされるので（Ｓ１０８にてＹＥＳ）、ハードディスク１４４は、システム制御回路１１０の制御により、テレビ１５０に表示された予約画像の内容を記録する（Ｓ１１０）。図７および図８を参照して、確定キーを押した場合にテレビ１５０に表示される画像を説明する。本実施の形態の場合、確定キーを「２度」押すと「ＯＮ」にされたと判断される。最初に確定キーが押されると、図７に示すように、ＯＳＤ画像生成回路１１４は、テレビ１５０に「予約は以下の通りでよろしいですか？」というメッセージ画像を表示させる。その後再び確定キーが押されると、システム制御回路１１０は、リモコン端末２００の確定キーを「ＯＮ」にされたと判断する。このときＯＳＤ画像生成回路１１４がテレビ１５０に表示させるメッセージ画像は、図８に示すように、「以下の予約を受付けました。」という文字の画像である。図９を参照して、この時ハードディスク１４４に記録される予約画像の内容を説明する。図９（Ａ）は、予約画像の内容を記録する前にハードディスク１４４に記録されていた予約の内容である。図９（Ｂ）は、予約画像の内容を記録した後にハードディスク１４４に記録された予約の内容である。「日曜日」から「土曜日」まで、すなわち毎日、「２１時」から「２２時」まで、「８」チャンネルの番組を「３倍」の画像を記録するモードで記録することを表わす情報が新たに記録されている。なお本実施の形態において、９月４日はこの予約を設定した日とする。計時回路１２６により、これらの予約日時が到来したことが検出されると、システム制御回路１１０は、チューナ１３０により受信した番組をハードディスク１４４に録画させる。すなわち、システム制御回路１１０は、その番組の映像音声データをハードディスク１４４に記録させる。以上の動作により、ハードディスク装置１４０は、ハードディスク１４４に、システム制御回路１１０が受付けた情報により特定される番組の映像および音声のいずれかを表わす情報を記録する。
［毎週の特定の曜日の放送を予約する場合の動作］
毎週の特定の曜日の放送を予約する場合の予約の受付処理について説明する。
【００５７】
ユーザが更新の設定を「ＯＮ（２）」にすると（Ｓ１０６にてＹＥＳ）、システム制御回路１１０は、テレビ１５０に表示された予約日付が連続予約用の日付か否かを判断する（Ｓ１１２）。仮に「ＯＮ（１）」に対応する連続予約用の日付が表示されていた場合、連続予約用の日付が表示されていないとみなされるので（Ｓ１１２にてＮＯ）、システム制御回路１１０は、テレビ１５０に表示される予約日付の表示を「ＯＮ（２）」に対応する連続予約用の日付に変更する。あわせて、システム制御回路１１０は、日付フラグの値を「２」に変更する（Ｓ１１４）。図１０を参照して、この場合（第２の連続予約モード）のテレビ１５０の表示を説明する。更新の設定における「ＯＮ（２）」は、ユーザが選択した一定の曜日に放送される番組を録画することを表わす。更新の設定において「ＯＮ（２）」が選択された場合、テレビ１５０には、ユーザが選択可能な曜日が表示される。ユーザはカーソルボタン２２０を操作することにより、これらを自由に選択できる。ユーザによって選択された期間は反転表示される。
【００５８】
以上のようにして、本実施の形態に係るデータ記録再生装置は、設定内容から周期的記録（すなわち連続予約）かどうかを判断し予約内容を自動的に変更する。具体的には、本実施の形態に係るデータ記録再生装置は、更新の表示が「ＯＮ」の場合、連続予約用の日付を表示する。更新がなされる場合、予約は連続予約でなくてはならない。本実施の形態に係るデータ記録再生装置は、この点に着目し、ユーザが更新を望むのであれば日付の表示を自動的に連続予約用の日付に変更する装置である。ユーザは、変更された複数の日付の中から自らが設定しようとする条件に合致する日付を選択できる。連続予約用の日付の中から適切なものを選択するので、選択の対象となる日付は限定されている。さらに複数の日付の中から日付を選択できるので、予約は効率化される。これにより、予約のためのキー操作が減少するので、連続予約はより簡単になり、かつ効率化される。しかも、選択の対象となるのは、単一の曜日または複数の曜日によって特定される放送の周期である。このことが、多彩な番組の特定を明確化し、かつ的確化する。その結果、明確で、的確で、効率よく、かつ簡単に多彩な番組を連続予約ができるデータ記録再生装置を提供することができる。この効果は、連続予約用の日付を表示させると、更新を設定できるようにする場合と比較すれば、より明確になる。
【００５９】
なお、予約の際、必ずしも日時を入力しなくともよい。たとえば、番組名などを入力するのみであってもよい。この場合、更新の表示を「ＯＮ」にすると、自動的に連続予約と見なされる。その際、入力された番組の放送日や放送時間などを自動的に表示させてもよい。
【００６０】
また、連続予約用の日付は、上述した日付欄とは別の場所に表示されてもよい。たとえば、連続予約用の日付は、更新欄の真下に表示されてもよい。
【００６１】
さらに、データ記録再生装置がハードディスクを備えるコンピュータである場合、上述した実施の形態においてメモリ１１２に記録されたプログラムは、コンピュータのメモリに記録されてもよい。図１１を参照して、データ記録再生装置１００を実現するコンピュータの制御ブロック図を示す。コンピュータは、ＣＰＵ３１と、ハードディスク（ＨＤ）３３と、表示部３４と、ＲＡＭ（Random Access Memory）３５と、通信部３６と、ＣＤ−ＲＷ（Compact Disk ReWritable）ドライブ３７と、操作部３８とを含む。ＣＰＵ３１は、当該コンピュータの全体的な動作を制御する。ＣＰＵ３１は、入出力インターフェイス（Ｉ／Ｏ）３２を介して、ＨＤ３３、表示部３４、ＲＡＭ３５、通信部３６、ＣＤ−ＲＷドライブ３７、および操作部３８と接続されている。ＨＤ３３は、ファイルおよびＣＰＵ３１の動作プログラムを含む種々の情報を記録する。表示部３４は、液晶ディスプレイなどである。ＲＡＭ３５は、ＣＰＵ３１のワークエリアである。通信部３６は、ネットワーク２を介して他の装置とデータを送受信する。ＣＤ−ＲＷドライブ３７は、外部から挿入されるＣＤ−ＲＷ３００などの記録媒体に記録された情報を読取り、かつ、当該記録媒体の情報を書換える。ＣＤ−ＲＷドライブ３７は、入出力インターフェイス３２とインターフェイスケーブル３９で接続されている。操作部３８は、ユーザが情報を入力するためのキーボードなどである。このとき、データ記録再生装置は、コンピュータハードウェアとＣＰＵ３１により実行されるソフトウェアとにより実現される。一般的にこうしたソフトウェアは、ＣＤ−ＲＷ３００などの記録媒体に格納されて流通し、ＣＤ−ＲＷドライブ３７などにより記録媒体から読込まれる。ＣＰＵ３１はＣＤ−ＲＷドライブ３７に読込まれたソフトウェアを実行する。図１１に示したハードウェア自体は一般的なものである。したがって、この場合、発明の最も本質的な部分はＣＤ−ＲＷ３００などの記録媒体に記録されたソフトウェアである。
【００６２】
その他、上述した放送の周期を表わす情報は、必ずしも曜日によって特定される必要はない。たとえば、月、週、および時刻のいずれかによって特定される周期を表わす情報でってもよい。その場合、上述した「周期」も「１日」に限定されない。たとえば、「周期」は「１週」であってもよい。あるいは、複数の曜日により放送の周期を表わす場合、具体的な周期の定め方は上述の例に限定されない。たとえば、周期を「２日、ただし週末を除く」とする場合、「月」、「水」、「金」といった定め方でもよい。
【００６３】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００６４】
【図１】本発明の実施の形態に係るデータ記録再生装置の制御ブロック図である。
【図２】本発明の実施の形態に係るハードディスクのフォーマットを表わす図である。
【図３】本発明の実施の形態に係るリモコン端末の外形図である。
【図４】本発明の実施の形態に係る予約の受付処理の制御の手順を示すフローチャートである。
【図５】本実施の形態に係る予約画像の表示例を示す図である。
【図６】本発明の実施の形態に係る第１の連続予約モードの表示例を示す図である。
【図７】本発明の実施の形態における予約の確認の表示例を示す図である。
【図８】本発明の実施の形態に係る予約完了の表示例を示す図である。
【図９】本発明の実施の形態に係るハードディスクに記録された予約の内容を表わす図である。
【図１０】本発明の実施の形態に係る第２の連続予約モードの表示例を示す図である。
【図１１】本発明の実施の形態の変形例に係るコンピュータの制御ブロック図である。
【符号の説明】
【００６５】
３１  ＣＰＵ、３２  入出力インターフェイス、３３  ハードディスク、３４  表示部、３５  ＲＡＭ、３６  通信部、３７  ＣＤ−ＲＷドライブ、３８  操作部、３９  インターフェイスケーブル、１００  データ記録再生装置、１１０  システム制御回路、１１２  メモリ、１１４  ＯＳＤ画像生成回路、１２２  操作部、１２４  受光部、１２６  計時回路、１２８  表示部、１３０  チューナ、１３２  ＭＰＥＧエンコーダ、１３６  ＭＰＥＧデコーダ、１３８  出力部、１４０  ハードディスク装置、１４２  情報記録ヘッド、１４４  ハードディスク、１５０  テレビ、１６２  システム領域、１６４  タイムシフト領域、１６６  録画領域、１９０  アンテナ、２００  リモコン端末、２１０  モニタ、２２０  カーソルボタン、２３０  テンキー、３００  ＣＤ−ＲＷ。
【図１】
2005136797.tif 000003
【図２】
2005136797.tif 000004
【図３】
2005136797.tif 000005
【図４】
2005136797.tif 000006
【図５】
2005136797.tif 000007
【図６】
2005136797.tif 000008
【図７】
2005136797.tif 000009
【図８】
2005136797.tif 000010
【図９】
2005136797.tif 000011
【図１０】
2005136797.tif 000012
【図１１】
2005136797.tif 000013